(57)【要約】【課題】筐体の幅の拡張を抑制しつつ、印刷物を容易に取り出すことができる印刷装置および印刷装置用筐体を提供する。【解決手段】写真印刷装置は、筐体４の内部に、印刷部と、利用者から貨幣を受け入れて利用料金の精算を行う貨幣処理部と、を収容している。筐体４の前面には、印刷部によって印刷された印刷物を取り出すための印刷物取出口９と、利用者に返金する貨幣を取り出すための貨幣返却口とが形成されている。印刷物取出口９は印刷部の下方に配置され、貨幣返却口は、印刷物取出口９の左側に形成されている。筐体４の内部には、印刷物を起立姿勢で印刷部から印刷物取出口９に向けて落下移動させる印刷物移動路が備えられている。印刷物移動路は、落下移動する印刷物の下辺のうち幅方向における左寄りの部分に当接する当接部１５を備えている。【選択図】図３
2019020969.tif 000002
【特許請求の範囲】
【請求項１】
印刷部と、利用者から貨幣を受け入れて利用料金の精算を行う貨幣処理部と、当該印刷部と当該貨幣処理部とを収容する筐体と、を備えた印刷装置であって、
前記筐体の前面に、
前記印刷部によって印刷された印刷物を取り出すための印刷物取出口と、
前記利用者に返金する貨幣を取り出すための貨幣返却口と、が形成され、
前記印刷物取出口が前記印刷部の下方に配置され、
前記印刷物を起立姿勢で前記印刷部から前記印刷物取出口に向けて落下移動させる印刷物移動路を備えた印刷装置において、
前記貨幣返却口は、前記筐体の幅方向において、前記印刷物取出口よりも第１方向側に設けられ、
前記印刷物移動路は、落下移動する前記印刷物の下辺のうち、幅方向における前記第１方向寄りの部分に当接する当接部を備えた印刷装置。
【請求項２】
前記筐体の高さ方向において、前記印刷物取出口と前記貨幣返却口とが、少なくとも部分的に重なるよう設けられた請求項１記載の印刷装置。
【請求項３】
前記当接部は、前記筐体の前後方向に延びる棒状または円筒状に形成されている請求項１または２に記載の印刷装置。
【請求項４】
前記当接部は、棒状または円筒状に形成された軸部と、当該軸部の外周に沿って回転可能な回転部と、を備えている請求項３記載の印刷装置。
【請求項５】
前記当接部は、少なくともその外周部分が弾性部材で形成されている請求項１から４のいずれか一項に記載の印刷装置。
【請求項６】
前記印刷物移動路は、前記当接部の下方に、前記当接部と当接した前記印刷物の下辺のうち、前記第１方向と反対方向の第２方向寄りの部分に当接する回転止め部を備えた請求項１から５のいずれか一項に記載の印刷装置。
【請求項７】
前記印刷部は、幅狭印刷物と幅広印刷物とを印刷可能に構成され、
前記当接部は、前記幅狭印刷物の落下移動経路の前記第１方向側の外方に設けられている請求項１から６のいずれか一項に記載の印刷装置。
【請求項８】
前記印刷物移動路は、落下移動する前記印刷物に当接し、前記第１方向とは反対側の第２方向側に案内する案内部を備えている請求項１から７のいずれか一項に記載の印刷装置。
【請求項９】
前記案内部は、前記印刷物移動路内の前記第１方向側に設けられ、
前記案内部は、前記筐体の幅方向において、前記第１方向側ほど前方に位置し、前記筐体の高さ方向において、下側ほど前方に位置するように傾斜した傾斜面として構成されている請求項８記載の印刷装置。
【請求項１０】
印刷部を収容する印刷部収容空間と、利用者から貨幣を受け入れて利用料金の精算を行う貨幣処理部と、を備えた印刷装置用筐体であって、
前記印刷装置用筐体の前面に、
前記印刷部によって印刷された印刷物を取り出すための印刷物取出口と、
前記利用者に返金する貨幣を取り出すための貨幣返却口と、が形成され、
前記印刷物取出口が前記印刷部収容空間の下方に配置され、
前記印刷物を起立姿勢で前記印刷部から前記印刷物取出口に向けて落下移動させる印刷物移動路を備えた印刷装置用筐体において、
前記貨幣返却口は、前記筐体の幅方向において、前記印刷物取出口よりも第１方向側に設けられ、
前記印刷物移動路は、落下移動する前記印刷物の下辺のうち、幅方向における前記第１方向寄りの部分に当接する当接部を備えた印刷装置用筐体。
【発明の詳細な説明】
【技術分野】
【０００１】
本発明は、利用料金の支払いにより作動する印刷装置、特に、印刷部から印刷物取出口に向けて印刷物を起立姿勢で落下移動させる印刷装置および印刷装置用筐体に関する。
【背景技術】
【０００２】
従来、ユーザが料金を投入し、写真などのプリントを行う印刷装置が知られている（例えば、特許文献１参照）。そのような印刷装置は、一般的に、筐体の前面に貨幣返却口と印刷物を取り出すための印刷物取出口とが形成されている。このような印刷装置は、コンビニエンスストアの店内等に設置されることが多く、店内等では設置するための広い空間を確保することが難しいため、狭小な空間に設置することができる印刷装置が望まれている。そのため、特許文献１の印刷装置では横幅が広くならないように、貨幣返却口と印刷物とを上下方向に配置している。
【先行技術文献】
【特許文献】
【０００３】
【特許文献１】特開２００１−２８３３２３号公報
【発明の概要】
【発明が解決しようとする課題】
【０００４】
しかしながら、特許文献１の印刷装置では、貨幣返却口の下方に印刷物取出口が設けられているため、使用者が印刷物取出口から印刷物を取り出し難く、また、印刷物の取り忘れが生じやすい、という問題があった。
【０００５】
このような問題を解決するために、貨幣返却口と印刷物取出口とを横並びに配置することが考えられる。しかしながら、これらを単に横並びに配置すると、印刷装置全体の幅が広くなるため、好ましくない。また、印刷装置全体の幅が広くならないようにするためには印刷物取出口の幅を狭くすることが考えられる。しかしながら、この場合には、幅広の印刷物を取り出すことが困難となるため、印刷可能な印刷物のサイズが制限されるという不具合が生ずる。
【０００６】
本発明は、かかる点に着目してなされたものであり、筐体の幅の拡張を抑制しつつ、印刷物を容易に取り出すことができる印刷装置および印刷装置用筐体を提供することを目的とする。
【課題を解決するための手段】
【０００７】
上記目的を達成するための本発明に係る、印刷部と、利用者から貨幣を受け入れて利用料金の精算を行う貨幣処理部と、当該印刷部と当該貨幣処理部とを収容する筐体と、を備えた印刷装置であって、前記筐体の前面に、前記印刷部によって印刷された印刷物を取り出すための印刷物取出口と、前記利用者に返金する貨幣を取り出すための貨幣返却口と、が形成され、前記印刷物取出口が前記印刷部の下方に配置され、前記印刷物を起立姿勢で前記印刷部から前記印刷物取出口に向けて落下移動させる印刷物移動路を備えた印刷装置の好適な実施形態の一つでは、前記貨幣返却口は、前記筐体の幅方向において、前記印刷物取出口よりも第１方向側に設けられ、前記印刷物移動路は、落下移動する前記印刷物の下辺のうち、幅方向における前記第１方向寄りの部分に当接する当接部を備えている。
【０００８】
上記構成によれば、印刷物が起立姿勢で印刷物移動路内を落下移動するときに、印刷物の下辺のうち、幅方向における第１方向寄りの部分に当接部が当接し、落下移動が規制さ
れると、当接した位置が下辺の中心よりも第１方向側に偏位しているため、印刷物は当接部を中心にして回転する。印刷物は、この回転により、姿勢が略９０°変位した状態で落下移動する。印刷物が横長姿勢で印刷物移動路を落下した場合には、この当接部に当接した後は、縦長姿勢で落下移動する。これにより、印刷物取出口の開口幅を、印刷物の短手寸法に適合する大きさに構成すれば、印刷物を取り出すことができる。すなわち、印刷物取出口の開口幅を印刷物の長手寸法に適合させる必要がなく、大判の印刷物を印刷する場合であっても、筐体の幅の拡張を抑制することができる。
【０００９】
また、このように印刷物取出口の開口幅を狭くすることができるので、筐体の幅の拡張を抑制しつつ、印刷物取出口と貨幣返却口とを横並びに設けることができる。よって、印刷物取出口を従来よりも上方に配置することができ、印刷物の取り出しが容易となる。
【００１０】
本発明に係る印刷装置の好適な実施形態の一つでは、前記筐体の高さ方向において、前記印刷物取出口と前記貨幣返却口とが、少なくとも部分的に重なるよう設けられている。
【００１１】
当接部は、様々な構成とすることができるが、本発明に係る印刷装置の好適な実施形態の一つでは、前記当接部は、前記筐体の前後方向に延びる棒状または円筒状に形成されている。
【００１２】
また、本発明に係る印刷装置の好適な実施形態の一つでは、前記当接部は、棒状または円筒状に形成された軸部と、当該軸部の外周に沿って回転可能な回転部と、を備えている。
【００１３】
本発明に係る印刷装置の好適な実施形態の一つでは、前記当接部は、少なくともその外周部分が弾性部材で形成されている。
【００１４】
本発明に係る印刷装置の好適な実施形態の一つでは、前記印刷物移動路は、前記当接部の下方に、前記当接部と当接した前記印刷物の下辺のうち、前記第１方向と反対方向の第２方向寄りの部分に当接する回転止め部を備えている。
【００１５】
本発明に係る印刷装置の好適な実施形態の一つでは、前記印刷部は、幅狭印刷物と幅広印刷物とを印刷可能に構成され、前記当接部は、前記幅狭印刷物の落下移動経路の前記第１方向側の外方に設けられている。
【００１６】
本発明に係る印刷装置の好適な実施形態の一つでは、前記印刷物移動路は、落下移動する前記印刷物に当接し、前記第１方向とは反対側の第２方向側に案内する案内部を備えている。
【００１７】
案内部として様々な構成を採用することができるが、本発明に係る印刷装置の好適な実施形態の一つでは、前記案内部は、前記印刷物移動路内の前記第１方向側に設けられ、前記案内部は、前記筐体の幅方向において、前記第１方向側ほど前方に位置し、前記筐体の高さ方向において、下側ほど前方に位置するように傾斜した傾斜面として構成されている。
【００１８】
また、本発明は、印刷部を収容する印刷部収容空間と、利用者から貨幣を受け入れて利用料金の精算を行う貨幣処理部と、を備えた印刷装置用筐体であって、前記印刷装置用筐体の前面に、前記印刷部によって印刷された印刷物を取り出すための印刷物取出口と、前記利用者に返金する貨幣を取り出すための貨幣返却口と、が形成され、前記印刷物取出口が前記印刷部収容空間の下方に配置され、前記印刷物を起立姿勢で前記印刷部から前記印刷物取出口に向けて落下移動させる印刷物移動路を備えた印刷装置用筐体をも権利対象と
しており、そのような印刷装置用筐体の好適な実施形態の一つでは、前記貨幣返却口は、前記筐体の幅方向において、前記印刷物取出口よりも第１方向側に設けられ、前記印刷物移動路は、落下移動する前記印刷物の下辺のうち、幅方向における前記第１方向寄りの部分に当接する当接部を備えている。
【００１９】
当然ながらこのような印刷装置用筐体も上述した印刷装置と同様の付加的な特徴構成を付加することができ、同様の作用効果を奏する。
【図面の簡単な説明】
【００２０】
【図１】写真印刷装置の斜視図である。
【図２】筐体の前方ユニットの後方側斜視図である。
【図３】印刷物移動路の詳細を示す図である。
【図４】幅広印刷物の落下移動経路を示す図である。
【図５】幅狭印刷物の落下移動経路を示す図である。
【図６】図５のＶＩ−ＶＩ矢視断面を示す図である。
【発明を実施するための形態】
【００２１】
本発明に係る印刷装置および印刷装置用筐体の実施形態について、以下、図面に基づいて説明する。本実施形態では、本発明に係る印刷装置および印刷装置用筐体を、写真印刷装置１に適用する例を示す。なお、以下の説明において、前とは、この写真印刷装置１を使用する使用者が立つ側を意味し、その反対側が後である。また、左右とは、使用者から見た左右を意味する。
【００２２】
図１に示すように、本実施形態に係る写真印刷装置１は、筐体４（本発明の印刷装置用筐体の例）の内部に印刷部２を備えている。本実施形態における写真印刷装置１は、コンビニエンスストアなどに設置され、利用者から利用料金の支払いを受けて、写真プリント（本発明の印刷物の例。以下、印刷物Ｘと称する。）を提供するものである。そのため、写真印刷装置１は、筐体４の内部に、利用者から貨幣および紙幣を受け入れて利用料金の精算を行う貨幣処理部３および紙幣処理部１１を備えている。
【００２３】
筐体４の上方側には、操作部５が設けられている。利用者は、操作部５を操作することにより、写真印刷装置１により印刷する対象となる画像、枚数および印刷サイズ等を選択する。なお、操作部５は、利用者が持参した記録メディア等に記録された画像データをモニター等によって確認することができるように構成されている。よって、利用者は、画像データを確認しつつ、印刷対象とする画像を選択することができる。
【００２４】
また、筐体４の上方側には操作部５に隣接して、貨幣処理部３に貨幣を投入するための貨幣投入口６と、貨幣処理部３に投入した貨幣の返却を指示するための返却ボタン７が設けられている。
【００２５】
筐体４は、筐体４の前方側を形成する前方側筐体部４ａと筐体４の後方側を形成する後方側筐体部４ｂとから構成され、前方側筐体部４ａが後方側筐体部４ｂに対して開閉自在に設けられている。
【００２６】
前方側筐体部４ａには、貨幣処理部３と紙幣処理部１１とが収容されている。そのため、筐体４の前面８には、利用者に返金する貨幣を取り出すための貨幣返却口１０が形成されている。その貨幣返却口１０と横並びになるように、印刷部２によって印刷された印刷物Ｘを取り出すための印刷物取出口９が設けられている。具体的には、印刷物取出口９と貨幣返却口１０とは、筐体４の幅方向において、貨幣返却口１０は印刷物取出口９よりも左側（本発明の第１方向側に相当）に、横並びになるよう設けられている。また、印刷物
取出口９と貨幣返却口１０とは、筐体４の高さ方向においては、少なくとも部分的に重なるように設けられている。なお、紙幣処理部１１は、印刷物取出口９の上方に設けられている。
【００２７】
後方側筐体部４ｂには印刷部２を収容するための内部空間Ｓ（本発明の印刷部収容空間に相当）が形成されている。内部空間Ｓは、前方側に開口しており、印刷部２は、印刷物Ｘを排出する排出口２０を筐体４の前方側に向ける状態で内部空間Ｓに収容される（図４，５参照）。
【００２８】
印刷部２は、幅狭印刷物Ｘａと幅広印刷物Ｘｂとを印刷可能に構成されている（図４，５参照）。具体的には、印刷部２として、幅狭印刷物Ｘａを印刷可能な幅狭用印刷部２ａと幅広印刷物Ｘｂを印刷可能な幅広用印刷部２ｂとが設けられている。内部空間Ｓは上下に２つの空間に仕切られており、幅広用印刷部２ｂがその上方側に収納され、その下方側には幅狭用印刷部２ａが収納されている。
【００２９】
例えば、幅狭用印刷部２ａが印刷する幅狭印刷物Ｘａは、Ｌ版又は２Ｌ版のサイズの印刷物Ｘであり、幅広用印刷部２ｂが印刷する幅広印刷物Ｘｂは、ポストカードのサイズの印刷物Ｘである。なお、本実施形態の印刷部２には、昇華転写プリンタを用いるが、インクジェットプリンタやレーザープリンタ等の他のプリント方式のプリンタを使用しても構わない。
【００３０】
幅狭用印刷部２ａおよび幅広用印刷部２ｂはそれぞれ幅狭印刷物Ｘａおよび幅広印刷物Ｘｂを排出するための幅狭排出口２０ａおよび幅広排出口２０ｂを備えている（図４，５参照）。幅広排出口２０ｂと幅狭排出口２０ａとは縦並びに配置されており、これらのさらに下方には印刷物取出口９が設けられている。幅広排出口２０ｂおよび幅狭排出口２０ａから排出される印刷物Ｘは、印刷物移動路１２（詳細は後述する）を通って、印刷物取出口９に向けて自然落下するよう構成されている。
【００３１】
図２は前方側筐体部４ａの後方側斜視図である。図２に示すように、前方側筐体部４ａの後側に、印刷物Ｘを起立姿勢で印刷部２から印刷物取出口９に向けて落下移動させる印刷物移動路１２を備えている。なお、起立状態とは、少なくとも印刷物Ｘの印刷面の一部が、筐体４の前方側または後方側を向く状態である。
【００３２】
印刷物移動路１２の上端，中間部および下端には開口が形成されており、それぞれ、幅広印刷物Ｘｂの入口となる第２印刷物入口１２ｂ、幅狭印刷物Ｘａの入口となる第１印刷物入口１２ａ、および、幅狭印刷物Ｘａ及び幅広印刷物Ｘｂの出口となる印刷物出口１２ｃを構成している。
【００３３】
前方側筐体部４ａを後方側筐体部４ｂに対して閉じた状態で、幅狭用印刷部２ａの幅狭排出口２０ａは第１印刷物入口１２ａの若干上方、幅広用印刷部２ｂの幅広排出口２０ｂは第２印刷物入口１２ｂの若干上方に位置するよう配置されている。これにより、幅狭用印刷部２ａの幅狭排出口２０ａから排出された幅狭印刷物Ｘａは第１印刷物入口１２ａから、幅広用印刷部２ｂの幅広排出口２０ｂから排出された幅広印刷物Ｘｂは第２印刷物入口１２ｂから、それぞれ印刷物移動路１２へと移動する。
【００３４】
なお、印刷部２は、印刷物Ｘを横長姿勢、すなわち、印刷物Ｘの長手方向が、筐体４の前面側から見て、筐体４の幅方向となるように、排出口２０から排出する。これにより、排出口２０から印刷物移動路１２までの距離を短くすることができ、筐体４の前後寸法を小さくすることができる。
【００３５】
また、印刷物出口１２ｃの下方には、印刷物移動路１２を落下移動した印刷物Ｘを受けとめる印刷物受部１３が設けられている。印刷物受部１３は前方が開口しており、開口と印刷物取出口９とが連通するよう前方側筐体部４ａに固定されている。よって、利用者は、印刷物受部１３に受けとめられた印刷物Ｘを、印刷物取出口９から取り出すことができる。
【００３６】
図３は印刷物移動路１２の詳細を示す図である。印刷物移動路１２は、移動路前方部材１４ａと移動路後方部材１４ｂとが組み合わされて形成されている。移動路前方部材１４ａが前方側筐体部４ａの背面に取り付けられ、その移動路前方部材１４ａに移動路後方部材１４ｂが開閉自在に取り付けられている。なお、図３は、移動路後方部材１４ｂを開けた状態の図である。
【００３７】
図３に示すように、印刷物移動路１２は、第１印刷物入口１２ａの下方に当接部１５を備えている。当接部１５は、幅方向においては、印刷物移動路１２の左側寄りに設けられている。当接部１５は、落下移動する幅広印刷物Ｘｂとの関係では、幅広印刷物Ｘｂの左右両端部の間、かつ、それらの中間部よりも左側となる位置に設けられている。また、落下移動する幅狭印刷物Ｘａとの関係では、当接部１５は、幅狭印刷物Ｘａの左端よりも左側となる位置に設けられている。つまり、当接部１５は、幅狭印刷物Ｘａの落下移動経路の左側の外側に設けられている。換言すると、当接部１５は、落下移動する幅広印刷物Ｘｂには当接するが、幅狭印刷物Ｘａには当接しない位置に設けられている。
【００３８】
本実施形態では、当接部１５は、棒状に形成された軸部１５ａと、この軸部１５ａの外周に沿って回転可能な回転部１５ｂとを備えている。軸部１５ａの一方の端部が、移動路後方部材１４ｂに固定されており、移動路後方部材１４ｂを閉めた状態では、その軸心が前後方向に沿う姿勢となるよう構成されている。
【００３９】
回転部１５ｂまたは回転部１５ｂの外周部分は弾性部材で構成されている。回転部１５ｂをこのように構成することにより、落下移動する幅広印刷物Ｘｂが当接部１５に当接した場合に、幅広印刷物Ｘｂに損傷が発生することを防止することができる。弾性部材としては、例えば、十分な柔軟性を有する発泡スポンジ体等を用いることができる。
【００４０】
また、印刷物移動路１２は、当接部１５の下方に、回転止め部１６および案内用傾斜面１７（本発明の案内部の例）を備えている。
【００４１】
以下に、排出された印刷部Ｘの移動について説明する。図４は、幅広印刷物Ｘｂの移動の状態を示す図である。図中では、落下移動中の幅広印刷物Ｘｂは一点鎖線で示し、印刷物受部１３に入る直前の幅広印刷物Ｘｂは実線で示している。
【００４２】
先ず、幅広排出口２０ｂから排出された幅広印刷物Ｘｂは、起立姿勢かつ横長姿勢で第２印刷物入口１２ｂから印刷物移動路１２へと入っていく。幅広印刷物Ｘｂは、そのままの姿勢で印刷物移動路１２を落下移動し、当接部１５に当接する。上述したように、当接部１５は、幅広印刷物Ｘｂの長辺の中間部よりも左側に位置しているため、当接部１５に当接した幅広印刷物Ｘｂは、その当接部分を中心として回転（この例では右回転）し、縦長姿勢へと移行してゆく。このとき、当接部１５が上述のように形成されているため、幅広印刷物Ｘｂは滑らかに回転する。
【００４３】
幅広印刷物Ｘｂの回転角度が所定の角度を超えると、幅広印刷物Ｘｂは若干の回転運動をしつつ、再び落下移動を開始し、略縦長姿勢で落下移動する。このとき、幅広印刷物Ｘｂの回転角度が所定の角度を超え、縦長姿勢よりもさらに回転しようとする場合が生じ得る。その場合には、幅広印刷物Ｘｂの長辺が回転止め部１６に当接し、その回転が規制さ
れる。そのため、幅広印刷物Ｘｂは、略縦長姿勢の状態で落下移動を継続し、印刷物受部１３に収容される。これにより、幅の広い印刷物Ｘを印刷可能としつつ、印刷物取出口９の幅を必要以上に広げる必要がなくなる。すなわち、印刷物取出口９の幅は、幅広印刷物Ｘｂの短手方向の寸法に対応させればよい。
【００４４】
印刷物移動路１２は、印刷物Ｘの厚みに対して十分な厚み（前後方向長さ）があるため、落下移動する印刷物Ｘ、特に、回転する幅広印刷物Ｘｂの前後方向への位置ずれが生じ得る。そのため、本実施形態では、幅広印刷物Ｘｂの回転を規制しやすくするために、回転止め部１６を複数の部材によって構成している。例えば、回転する幅広印刷物Ｘｂの位置が前方寄りである場合は、移動路前方部材１４ａの左寄りに立設された前方側側面部分が回転止め部１６ａとなる。また、回転する幅広印刷物Ｘｂの位置が後方寄りである場合は、移動路後方部材１４ｂの左側の下端部に立設された下端凸部が回転止め部１６ｂとなる。
【００４５】
図５は、幅狭印刷物Ｘａの移動の状態を示す図である。図中では、落下移動中の幅狭印刷物Ｘａは一点鎖線で示し、印刷物受部１３に入る直前の幅狭印刷物Ｘａは実線で示している。先ず、幅狭排出口２０ａから排出された幅狭印刷物Ｘａは、起立姿勢かつ横長姿勢で第１印刷物入口１２ａから印刷物移動路１２へと入っていく。幅狭印刷物Ｘａは、そのままの姿勢で印刷物移動路１２を落下移動する。このとき、幅狭印刷物Ｘａの左端は案内用斜面１７に当接する。
【００４６】
以下に、図５および図６を参照して、案内用傾斜面１７について説明する。図６は、図５のＶＩ−ＶＩ矢視断面を示す図である。図５に示すように、移動路後方部材１４ｂの前面側の第１印刷物入口１２ａの下側の位置に、下側ほど前方側に位置するよう傾斜した移動路傾斜面１８が形成されている。この移動路傾斜面１８の左寄り位置に案内用傾斜面１７が形成されている。具体的には、図６に示すように、案内用傾斜面１７は、左側ほど前方に位置し、かつ、下側ほど前方に位置するように傾斜した傾斜面として構成されている。
【００４７】
図５に示すように、印刷物移動路１２内を落下移動する幅狭印刷物Ｘａは、案内用傾斜面１７に当接することにより、印刷物移動路１２内において右側に案内される。これにより、印刷物移動路１２内を落下移動する幅狭印刷物Ｘａを、筐体４の右寄りに落下させることができる。そのため、印刷物取出口９を筐体４の右寄り位置、すなわち、貨幣返却口１０の右側に配置することができる。
【００４８】
このような印刷物移動路１２によって、本実施形態における写真印刷装置１では、幅広印刷物Ｘｂを排出する場合でも、印刷物取出口９の幅を幅広印刷物Ｘｂの長辺長さに適合させる必要ない。これにより、写真印刷装置１の幅の拡張を抑制しつつ、幅広印刷物Ｘｂを印刷することができる。また、幅狭印刷物Ｘａを写真印刷装置１の右寄り位置に案内することができるため、貨幣返却口１０と印刷物取出口９とを横並びに配置することができる。これにより、印刷物Ｘの取り出しが容易となり、また、印刷物Ｘの取り忘れ防止にも寄与する。
【００４９】
〔別実施形態〕
（１）上記実施形態においては、印刷部２を、幅狭印刷物Ｘａを印刷可能な幅狭用印刷部２ａと幅広印刷物Ｘｂを印刷可能な幅広用印刷部２ｂとにより構成したが、これに限らず、印刷部２を、幅狭印刷物Ｘａと幅広印刷物Ｘｂとを印刷可能な単一の印刷部により構成してもよい。
【００５０】
（２）上記実施形態においては、印刷物移動路１２に当接部１５と案内部（案内用斜面１
７）との両方を設けたが、これに限らず、印刷物移動路１２に当接部１５のみを設けてもよいし、印刷物移動路１２に案内部のみを設けてもよい。
【００５１】
（３）上記実施形態においては、印刷物移動路１２に回転止め部１６を設けたが、これに限らず、印刷物移動路１２に回転止め部１６を設けなくてもよい。
【００５２】
（４）上記実施形態においては、当接部１５が、棒状に形成された軸部１５ａと、この軸部１５ａの外周に沿って回転可能な回転部１５ｂとを備えているが、これに限らず、当接部１５に回転部１５ｂを設けなくてもよい。
【００５３】
（５）上記実施形態においては、当接部１５の軸部１５ａが棒状に形成されたが、これに限らず、当接部１５の軸部１５ａが円筒状に形成されてもよい。
【００５４】
（６）上記実施形態においては、当接部１５の回転部１５ｂまたは回転部１５ｂの外周部分を弾性部材で構成したが、これに限らず、これらを弾性部材で構成しなくてもよい。
【００５５】
（７）上記実施形態においては、当接部１５を棒状に構成したが、これに限らず、当接部１５を平面状又は曲面状の当接面等、他の形状で構成してもよい。
【００５６】
（８）上記実施形態においては、案内部を案内用傾斜面１７として構成したが、これに限らず、案内部を棒状や円筒状の部材で形成してもよい。
【００５７】
尚、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００５８】
本発明に係る印刷装置および印刷装置用筐体は、写真印刷装置をはじめとして、ポスター、はがき、名刺などのカード類を印刷する印刷装置に利用することができる。
【符号の説明】
【００５９】
１      写真印刷装置（印刷装置）
２      印刷部
３      貨幣処理部
４      筐体（印刷装置用筐体）
８      前面
９      印刷物取出口
１０    貨幣返却口
１２    印刷物移動路
１５    当接部
１５ａ  軸部
１５ｂ  回転部
１６    回転止め部
１７    案内用傾斜面（案内部）
Ｓ      内部空間（印刷部収容空間）
Ｘ      印刷物
Ｘａ    幅狭印刷物
Ｘｂ    幅広印刷物
【図１】
2019020969.tif 000003
【図２】
2019020969.tif 000004
【図３】
2019020969.tif 000005
【図４】
2019020969.tif 000006
【図５】
2019020969.tif 000007
【図６】
2019020969.tif 000008